(57)【要約】【課題】暖房効率を低下せずに着霜を防ぐことができ、しかも、冷媒の液圧縮を防止することのできる空気調和機を提供することを目的としている。【解決手段】室外熱交換器５の入口の冷媒配管に設けられた温度検出器２０の検出する温度が下がって室外熱交換器の除霜開始温度より高い温度になると、冷媒管１９に備える開閉弁９を開放して水熱交換器７に圧縮機１から吐出された高温の高圧冷媒を流入し、室内熱交換器３から流出され減圧手段４に流入される冷媒を加熱して室外熱交換器に流入される冷媒の温度を上昇させるので、室外熱交換器への着霜が防止され、常に効率良い暖房運転を持続することができる。【選択図】  図１
2004198072.tif 000002
【特許請求の範囲】
【請求項１】
圧縮機と、四方弁と、室内空気と熱交換する室内熱交換器と、減圧手段と、外気と熱交換する室外熱交換器とを冷媒配管で順次接続して冷凍サイクルを構成してなる空気調和機において、
前記室内熱交換器と減圧手段との間に介装され、暖房運転時に、前記室内熱交換器から流出する冷媒と前記圧縮機から吐出される高温の高圧冷媒と熱交換する熱交換器と、前記圧縮機から前記熱交換器に流通する高温の高圧冷媒の通路を開閉する開閉弁とを設けると共に、前記室外熱交換器に流入する冷媒の温度を検出する温度検出器を設け、前記温度検出器の検出温度が下がって、前記室外熱交換器の除霜開始温度より高い温度になると、前記開閉弁を開放して前記熱交換器に高温の高圧冷媒を流入し、前記室内熱交換器から流出される冷媒を加熱することにより前記室外熱交換器に流入される冷媒の温度を上昇させることを特徴とする空気調和機。
【請求項２】
前記温度検出器が、前記室外熱交換器の前記減圧手段側の入口の冷媒配管に設けられてなることを特徴とする請求項１記載の空気調和機。
【発明の詳細な説明】
【０００１】
【発明の属する技術分野】
本発明は、空気調和機に係わり、暖房運転時の室外熱交換器の着霜を防止する構成に関する。
【０００２】
【従来の技術】
従来の空気調和機は、図２の冷媒回路に示すように、非共沸混合冷媒を圧縮して循環する圧縮機８と、同圧縮機８より吐出された高温の高圧冷媒の流路を切り換える四方弁１０と、暖房運転時に前記四方弁１０からの高圧冷媒を流通して室内の空気と熱交換して凝縮させる室内熱交換器１２と、同室内熱交換器１２で凝縮された冷媒を減圧して断熱膨張する減圧手段１１と、同減圧手段１１を通過して断熱膨張した冷媒を外気と熱交換して蒸発させる室外熱交換器６とにより冷凍サイクルを構成している。
しかし、この構成では、外気の温度が低い場合には前記室外熱交換器６に霜が着き、同室外熱交換器６の熱交換効率を下げてしまうため、暖房効率を損ねるという問題がある。
そこで、暖房運転時に蒸発器となる室外熱交換器６の入口部分の風上側に、圧縮機８からの高温の吐出冷媒ガスを流通せしめる凍結防止管１３を配設し、これにより、前記室外熱交換器６の入口部の着霜、凍結を防止している（例えば、特許文献１参照。）。
しかし、この構成では、前記圧縮機８からの高温の吐出冷媒ガスは凍結防止管１３に常時流通してから室内熱交換器１２に流通されるため、凍結防止管１３を流通する時に冷やされるため、暖房効率が常時低下するという問題がある。
【０００３】
【特許文献１】
特開平９−１７０７８７号公報（第２−３頁、第１図）
【０００４】
【発明が解決しようとする課題】
本発明は以上述べた問題点を解決し、暖房効率を低下せずに着霜を防ぐことができ、しかも、冷媒の液圧縮を防止することのできる空気調和機を提供することを目的としている。
【０００５】
【課題を解決するための手段】
本発明は上述の課題を解決するため、圧縮機と、四方弁と、室内空気と熱交換する室内熱交換器と、減圧手段と、外気と熱交換する室外熱交換器とを冷媒配管で順次接続して冷凍サイクルを構成してなる空気調和機において、前記室内熱交換器と減圧手段との間に介装され、暖房運転時に、前記室内熱交換器から流出する冷媒と前記圧縮機から吐出される高温の高圧冷媒と熱交換する熱交換器と、前記圧縮機から前記熱交換器に流通する高温の高圧冷媒の通路を開閉する開閉弁とを設けると共に、前記室外熱交換器に流入する冷媒の温度を検出する温度検出器を設け、前記温度検出器の検出温度が前記室外熱交換器の除霜開始温度より高い温度になると、前記開閉弁を開放して前記熱交換器に高温の高圧冷媒を流入し、前記室内熱交換器から流出される冷媒を加熱することにより前記室外熱交換器に流入される冷媒の温度を上昇させる空気調和機としている。
【０００６】
また、前記温度検出器が、前記室外熱交換器の前記減圧手段側の入口の冷媒配管に設けられてなる空気調和機としている。
【０００７】
【発明の実施の形態】
以下、図面に基づいて本発明による空気調和機を詳細に説明する。
図１は本発明による空気調和機の一実施例を示す冷媒回路図である。
図１に示すように、非共沸混合冷媒を圧縮して循環する圧縮機１と、同圧縮機１より吐出された高温の高圧冷媒の流路を切り換える四方弁２と、暖房運転時に前記四方弁２からの高圧冷媒を流通して室内の空気と熱交換して凝縮させる室内熱交換器３と、同室内熱交換器３で凝縮された冷媒を減圧して断熱膨張する減圧手段４と、同減圧手段４を通過して断熱膨張した冷媒を外気と熱交換して蒸発させる室外熱交換器５とにより冷凍サイクルを構成している。
また、前記室内熱交換器３と減圧手段４との間の冷媒配管には水を媒体として冷媒間の熱交換を行う水熱交換器７が介装されている。
また、前記圧縮機１の吐出側と前記四方弁２との間から分流され、前記四方弁２と前記圧縮機１の吸込側との間に合流するバイパス用の冷媒管１９が接続され、同冷媒管１９には開閉弁９と前記水熱交換器７とが直列に介装されている。
そして、前記水熱交換器７は前記圧縮機１から吐出され開閉弁９を介して流入される高温の高圧冷媒と、前記室内熱交換器３を流通して流入される冷媒と、水を介して熱交換することにより、前記減圧手段４に流入される冷媒を加熱するようになっている。
また、前記室外熱交換器５の前記減圧手段４側の入口の冷媒配管には室外熱交換器５に流入する冷媒の温度を検出する、例えば、サーミスタでなる温度検出器２０を設けている。
【０００８】
以上の構成において、つぎにその動作を説明する。
暖房運転が開始されると、圧縮機１で圧縮されて吐出した高温の高圧冷媒は、四方弁２で流路を切り換えられて室内熱交換器３に流通され、室内空気と熱交換して室内空気を熱して凝縮され冷やされる。
室内熱交換器３を流通して凝縮した冷媒は、減圧手段４で減圧されて断熱膨張してさらに冷却された後、室外熱交換器５に流通され外気と熱交換して蒸発し、四方弁２を介して前記圧縮機１に循環される。
前記温度検出器２０はこの減圧手段４で減圧されて断熱膨張して冷却され、前記室外熱交換器５に流入される冷媒の温度を検出する。
この温度検出器２０の検出する温度が下がって、前記室外熱交換器５の除霜開始温度（例えば０℃）より高目の温度（例えば２℃）になると前記開閉弁９を開放して冷媒管１９を通して前記水熱交換器７に前記圧縮機１から吐出された高温の高圧冷媒を流入し、前記室内熱交換器３から流出され減圧手段４に流入される冷媒を加熱する。
これにより、前記室外熱交換器５に流入される冷媒の温度が上昇し、同室外熱交換器５への着霜が防止されるので、常に効率良い暖房運転を持続することができる。
【０００９】
また、前記水熱交換器７に流入した高温の高圧冷媒は水熱交換器７で多少熱を奪われるが、ガス冷媒のまま前記圧縮機１に循環されるので、同圧縮機１の液圧縮を防止することができる。
なお、本実施例では、室内熱交換器３から流出され減圧手段４に流入される冷媒と冷媒管１９に流れる冷媒との熱交換器として水を媒体とする水熱交換器７をしようしたが、この熱交換器はこれに限定されるものではなく、例えば、媒体として油や金属を使用してもよく、また、直接冷媒管同士を接触させることにより熱交換してもよいことは、記するまでもなく理解できよう。
【００１０】
【発明の効果】
以上説明したように、本発明による空気調和機によれば、室外熱交換器の入口の冷媒配管に設けられた温度検出器の検出する温度が下がって、室外熱交換器の除霜開始温度より高目の温度になると開閉弁を開放して水熱交換器に圧縮機から吐出された高温の高圧冷媒を流入して室内熱交換器から流出され減圧手段に流入される冷媒を加熱して室外熱交換器に流入される冷媒の温度を上昇させるので、室外熱交換器への着霜が防止され、常に効率良い暖房運転を持続することができる。
【図面の簡単な説明】
【図１】本発明による空気調和機の一実施例を示す冷媒回路図である。
【図２】従来の空気調和機を示す冷媒回路図である。
【符号の説明】
１  圧縮機
２  四方弁
３  室内熱交換器
４  減圧手段
５  室外熱交換器
７  水熱交換器
９  開閉弁
１９  冷媒管
２０  温度検出器
【図１】
2004198072.tif 000003
【図２】
2004198072.tif 000004